(57)【要約】【課題】  輸出のパルスパワーがパルスパワーの全長を設定することにて実際に輸出のパルスを決定し、更にパルスパワーの幅を設定することにて実際に輸出の工作サイクル比例を決定することができるパルス幅変調装置を提供する。【解決手段】  カウンターと、第１比較器と、第２比較器を有し、前記第１比較器と前記第２比較器が互いに並列すると共に、前記カウンターと直列することにより、前記カウンターがカウンター信号を同時に前記第１比較器と前記第２比較器に伝送し、前記カウンターがクロック（Clock）信号を接収すると、カウンターし始まると共に、当該カウンター信号を前記第１比較器と前記第２比較器に伝送し、前記第１比較器がパルスパワーの幅信号を接収する時、当該カウンター信号のカウンター数によって工作サイクルに対応するパルスを輸出し、前記第２比較器がパルスパワーの全長信号を接収する時、前記カウンター信号が当該全長の数字をカウンターした後、前記カウンターにクリア（CLR）信号を輸出することにより、前記カウンターが０に帰って再びカウンターすることを特徴とする。【選択図】  図１
0003165224.tif 000002
【実用新案登録請求の範囲】
【請求項１】
カウンターと、第１比較器と、第２比較器を有し、前記第１比較器と前記第２比較器が互いに並列すると共に、前記カウンターと直列することにより、前記カウンターがカウンター信号を同時に前記第１比較器と前記第２比較器に伝送し、前記カウンターがクロック（Clock）信号を接収すると、カウンターし始まると共に、当該カウンター信号を前記第１比較器と前記第２比較器に伝送し、
前記第１比較器がパルスパワーの幅信号を接収する時、当該カウンター信号のカウンター数によって工作サイクルに対応するパルスを輸出し、前記第２比較器がパルスパワーの全長信号を接収する時、前記カウンター信号が当該全長の数字をカウンターした後、前記カウンターにクリア（CLR）信号を輸出することにより、前記カウンターが０に帰って再びカウンターすることを特徴とするデジタル式のパルス幅変調装置。
【請求項２】
前記カウンターは、番号７４１６１号の集積回路（IC）であることを特徴とする請求項１に記載のデジタル式のパルス幅変調装置。
【考案の詳細な説明】
【技術分野】
【０００１】
本考案は、デジタル式のパルス幅変調装置であって、特に輸出のパルスパワーがパルスパワーの全長を設定することにて実際に輸出のパルスを決定し、更にパルスパワーの幅を設定することにて実際に輸出の工作サイクル比例を決定することができるパルス幅変調装置に関するものである。
【背景技術】
【０００２】
パルス幅変調(pulse-width modulation, PWM)制御システムは、電子装置の制御によく使用され、その技術は、主に電子部材に伝送される信号を測定することにて測定信号を獲得すると共に、当該測定信号を参考信号と比較し、その比較結果に基づいてパルスに異なる工作サイクルを連続的に印加することにより、パルス幅変調信号を獲得する。更に、当該パルス幅変調信号を制御信号として前記電子部材に伝送する。即ち、元の輸出信号をフィードバックすることによって前記パルス信号の適当な調整幅を発生すると共に、幅を調整したパルス信号にて前記電子部材に伝送する適当な輸出信号を制御する。
【０００３】
従来のアナログ式のパルス幅変調制御システムは、比較器に測定信号Vsenseと参考信号Vrefを入力すると共に、比較信号Vcmpを入力し、他の比較器で前記比較器の輸出信号が斜波信号Vrampと再び比較し、最後に頻度を固定すると共に、工作サイクル可変のパルス信号VPWMを輸出することにより、前記電子部材を制御する。
【０００４】
又、前記アナログ式のパルス幅変調制御システムは、よく使用されるものであるため、特に特許文献や非特許文献に記載されていない。
【考案の概要】
【考案が解決しようとする課題】
【０００５】
しかしながら、前記斜波信号Vrampの頻度は安定ではなく、こうすると、制御システムがノイズに干渉しやすく、比較器に抵抗やコンデンサ部材を設置する方式で頻度補償を行うが、これらの外部部材を追加することは、コストを向上してしまう原因となる。
【０００６】
そこで、案出されたのが本考案であって、輸出のパルスパワーがパルスパワーの全長を設定することにて実際に輸出のパルスを決定し、更にパルスパワーの幅を設定することにて実際に輸出の工作サイクル比例を決定することができるデジタル式のパルス幅変調装置を提供することを目的としている。
【課題を解決するための手段】
【０００７】
上記の目的を達成するために、本考案は、カウンターと、第１比較器と、第２比較器を有し、前記第１比較器と前記第２比較器が互いに並列すると共に、前記カウンターと直列することにより、前記カウンターがカウンター信号を同時に前記第１比較器と前記第２比較器に伝送し、前記第１比較器がパルスパワーの幅信号を接収する時、当該カウンター信号のカウンター数によって工作サイクルに対応するパルスを輸出し、同時に、前記第２比較器がパルスパワーの全長信号を接収する時、前記カウンター信号が当該全長の数字をカウンターした後、前記カウンターにクリア（clear）信号を輸出することにより、前記カウンターが０に帰って再びカウンターする。そして、輸出のパルスパワーがパルスパワーの全長を設定することにて実際に輸出のパルスを決定し、更にパルスパワーの幅を設定することにて実際に輸出の工作サイクル比例を決定することにより、輸出パルスが調整される目的を達成できる。
【考案の効果】
【０００８】
本考案は上記の課題を解決するものであり、カウンターと、第１比較器と、第２比較器を有することにより、振動頻度と輸出Dutyの幅を調整する目的を達成することができる。
【図面の簡単な説明】
【０００９】
【図１】本考案に係るデジタル式のパルス幅変調装置の回路を示すブロック図である。
【図２】本考案に係るデジタル式のパルス幅変調装置によって発生するパルスの図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
本考案に係わるデジタル式のパルス幅変調装置は、図１及び図２に示すように、カウンター（１１）と、第１比較器（１２）と、第２比較器（１３）を有し、前記第１比較器（１２）と前記第２比較器（１３）が互いに並列すると共に、前記カウンター（１１）と直列することにより、前記カウンター（１１）がカウンター信号を同時に前記第１比較器（１２）と前記第２比較器（１３）に伝送し、前記カウンター（１１）がクロック（clock、CLK）信号を接収すると、カウンターし始まると共に、当該カウンター信号を前記第１比較器（１２）と前記第２比較器（１３）に伝送する。
【００１２】
本考案に係わるデジタル式のパルス幅変調装置を使用する場合、前記第１比較器（１２）がパルスパワー（Duty）の幅信号を接収する時、当該カウンター信号のカウンター数によって工作サイクルに対応するパルスを輸出し（図２のように）、同時に、前記第２比較器（１３）がパルスパワー（Duty）の全長信号を接収する時、前記カウンター信号が当該全長の数字をカウンターした後、前記カウンター（１１）にクリア（CLR）信号を輸出することにより、前記カウンター（１１）が０に帰って再びカウンターする。そして、輸出のパルスパワーがパルスパワーの全長を設定することにて実際に輸出のパルスを決定し、更にパルスパワーの幅を設定することにて実際に輸出の工作サイクル比例を決定することにより、輸出パルスが調整される目的を達成できる。
【００１３】
又、図１及び図２に示すように、前記カウンター（１１）が上昇信号のCLOCKを接収した後、カウンターに１をプラスし、CLR信号を接収すると、０に帰り、再び前記第１比較器（１２）と前記第２比較器（１３）により、夫々輸出DUTYの幅と全長を制御し、そして、下記式（１）と式（２）に満足する。
輸出頻度 =入力頻度 / Duty 全長     式（１）
Duty比例 = Duty 幅 / Duty 全長（図２に示すように）  式（２）
【００１４】
図１に示すように、前記カウンター（１１）は、番号７４１６１号の集積回路（IC）である。
【００１５】
又、本考案の装置は内部振動回路にて発生する頻度をデジタル回路の基本頻度として使用し、入力したSample Rate（パルスパワーの全長とパルスパワーの幅）に従って最後の輸出頻度を決定し( 基本頻度/Sample Rate=輸出頻度)、輸出の工作サイクルは異なる需要に応じてSample Rateの輸出をHigh又は Lowに調整することにより、振動頻度と輸出Dutyの幅を調整する目的を達成する。
【産業上の利用可能性】
【００１６】
本考案は上記の構成を有するので、カウンターと、第１比較器と、第２比較器を有し、振動頻度と輸出Dutyの幅を調整する目的を達成することができる。
【符号の説明】
【００１７】
１１        カウンター
１２        第１比較器
１３        第２比較器
【図１】
0003165224.tif 000003
【図２】
0003165224.tif 000004
【手続補正書】
【提出日】平成22年11月1日(2010.11.1)
【手続補正１】
【補正対象書類名】実用新案登録請求の範囲
【補正対象項目名】全文
【補正方法】変更
【補正の内容】
【実用新案登録請求の範囲】
【請求項１】
カウンターと、第１比較器と、第２比較器を有し、前記第１比較器と前記第２比較器が互いに並列すると共に、前記カウンターと直列することにより、前記カウンターがカウンター信号を同時に前記第１比較器と前記第２比較器に伝送し、前記カウンターがクロック（Clock）信号を接収すると、カウンターし始まると共に、当該カウンター信号を前記第１比較器と前記第２比較器に伝送し、
前記第１比較器がパルスパワーの幅信号を接収する時、当該カウンター信号のカウンター数によって工作サイクルに対応するパルスを輸出し、前記第２比較器がパルスパワーの全長信号を接収する時、前記カウンター信号が当該全長の数字をカウンターした後、前記カウンターにクリア（CLR）信号を輸出することにより、前記カウンターが０に帰って再びカウンターすることを特徴とするデジタル式のパルス幅変調装置。